(57)【要約】      （修正有）【課題】固形石けんを収納する収納部の水はけを良くしながら、複数の収納体を積み上げることを可能とし、整理して洗面所や浴室等に置くことができる石けん箱を提供する。【解決手段】前面に固形石けんの挿脱口１２が形成され、底面に前面側から背面側に向かって漸次下がる傾斜面１７が形成され、背面に排水口１６が形成された直方体状の収納体１１と、該収納体１１の底面近傍に着脱可能に配設され、収納する固形石けんが置かれる石けん台２１とを備える。石けん台２１は、複数の排水溝２２が形成されている。排水溝２２は、該排水溝２２の側壁部２３の頂面が略同じ高さとなるように形成され、頂面によって形成された載置面に固形石けん１が置かれる。排水溝２２の底面は、排水溝の端部に向かって漸次下るように形成され、該端部の開口端より収納体底面の傾斜面１７に水が滴下され、排水口１６より排水される。【選択図】図２
0003173127.tif 000002
【実用新案登録請求の範囲】
【請求項１】
前面に挿脱口が形成され、内部に該挿脱口と連続した、天井部を有する収納部が形成され、底面に前面側から背面側に向かって漸次下がる傾斜面が形成され、背面に該傾斜面に連続した排水口が形成された直方体状の収納体と、
上記収納体の底面近傍に形成された支持部に着脱可能に該底面に略沿うように配設され、上記収納部に収納する固形石けんが置かれる石けん台とを備え、
上記石けん台は、固形石けんを上記挿脱口を介して挿脱する方向に複数の排水溝が形成され、
上記排水溝は、該排水溝の側壁部の頂面が略同じ高さとなるように形成され、該頂面によって形成された載置面に上記固形石けんが置かれ、
上記排水溝の底面は、該排水溝の端部に向かって漸次下るように形成され、該端部の開口端より上記収納体底面の傾斜面に水が滴下され、上記収納体の排水口より排水されるようにした石けん箱。
【請求項２】
上記排水溝の側壁部の頂面側のコーナ部は、円弧状をなすように形成されている請求項１記載の石けん箱。
【請求項３】
上記石けん台は、上記収納体に配設されたとき、上記挿脱口側に位置する前面部に、上記載置面上に上記固形石けんをガイドする傾斜ガイド部が形成され、
上記傾斜ガイド部の裏面には、上記収納体の底面近傍に形成された支持部と係合する係合部が形成されている請求項１又は請求項２記載の石けん箱。
【請求項４】
上記傾斜ガイド部には、上記排水溝の端部と連続した円弧状の凹部が形成されている請求項１−３の何れか１項記載の石けん箱。
【請求項５】
上記収納体の底面には、支持凸部が形成され、
上記収納体の上面には、重ねて置かれる石けん箱の底面に形成された上記支持凸部が嵌合する嵌合部が形成されている請求項１−４の何れか１項記載の石けん箱。
【考案の詳細な説明】
【技術分野】
【０００１】
本考案は、洗面台や浴室等に置かれる固形石けんを収納する石けん箱に関する。
【背景技術】
【０００２】
洗面台や風呂場等に置かれる石けん箱は、収納した固形石けんが水に濡れ、また、下皿に貯まった水に浸り、溶解することを防止するため従来より種々の工夫がなされている。例えば、特許文献１のように、下皿に水抜き用の孔を設け、更に、下皿に重ねられた蓋にも孔を設け、蓋に貯まった水をこの孔から排水できるようにしたものがある。
【０００３】
ところで、固形石けんにも、洗顔用や浴用などに使われる化粧石けんや手洗いなどに使われる薬用石けんや衣類の手洗い等に使われる洗濯用石けん等様々なものがある。したがって、洗面所や浴室に置かれる固形石けんも、一種類だけではなく、複数種類が置かれることが多く、これに伴い、石けん箱も複数必要になってくる。洗面所や浴室に複数の石けん箱を置いたときには、場所を取り、乱雑となってしまう。
【先行技術文献】
【特許文献】
【０００４】
【特許文献１】特開２００５−５８６８５号公報
【考案の概要】
【考案が解決しようとする課題】
【０００５】
本考案は、以上のような課題に鑑み、固形石けんを収納する収納部の水はけを良くしながら、複数の収納体を積み上げることを可能とし、整理して洗面所や浴室等に置くことができる石けん箱を提供することを目的とする。
【課題を解決するための手段】
【０００６】
上述の課題を解決するために、本考案に係る石けん箱は、前面に挿脱口が形成され、内部に該挿脱口と連続した天井部を有する収納部が形成され、底面に前面側から背面側に向かって漸次下がる傾斜面が形成され、背面に該傾斜面に連続した排水口が形成された直方体状の収納体と、上記収納体の底面近傍に形成された支持部に着脱可能に該底面に略沿うように配設され、上記収納部に収納する固形石けんが置かれる石けん台とを備える。
【０００７】
上記石けん台は、固形石けんを上記挿脱口を介して挿脱する方向に複数の排水溝が形成され、上記排水溝は、該排水溝の側壁部の頂面が略同じ高さとなるように形成され、該頂面によって形成された載置面に上記固形石けんが置かれる。上記排水溝の底面は、該排水溝の端部に向かって漸次下るように形成され、該端部の開口端より上記収納体底面の傾斜面に水が滴下され、上記収納体の排水口より排水される。
【０００８】
上記排水溝の側壁部の頂面側のコーナ部は、円弧状をなすように形成し、固形石けんが削れないようにするとよい。
【０００９】
また、上記石けん台には、上記収納体に配設されたとき、上記挿脱口側に位置する前面部に、上記載置面上に上記固形石けんをガイドする傾斜ガイド部を形成することができる。上記傾斜ガイド部の裏面には、上記収納体の底面近傍に形成された支持部と係合する係合部を形成するようにしてもよい。この場合、上記傾斜ガイド部に、上記排水溝の端部と連続した円弧状の凹部を形成し、固形石けんが削れないようにしてもよい。
【００１０】
更に、上記収納体の底面に、支持凸部を形成し、上記収納体の上面に、重ねて置かれる石けん箱の底面に形成された上記支持凸部が嵌合する嵌合部を形成してもよい。上記支持凸部と上記嵌合部とを嵌合することで、石けん箱を安定して積み上げることができる。
【考案の効果】
【００１１】
本考案によれば、収納体が直方体状に形成されているので、安定して積み上げることが可能となり、洗面所や浴室等を整理整頓することができる。また、収納体は、天井部を設けるようにしたので、シャワー等の水しぶきが収納した固形石けんにかかることを防止することができる。更に、収納体内において収納する固形石けんが載置される石けん台は、取り外し可能であるので、衛生的であり、更に、排水溝を構成する側壁部の同じ高さの頂面によって構成される載置面に載置されるので、固形石けんを安定した姿勢で収納することができる。更に、収納体内に進入した水滴や固形石けんに付着した水滴や固形石けんが溶解して生成された石けん水等は、先ず、石けん台の排水溝に滴下し、次いで、排水溝から収納体の底面の排水路となる傾斜面に滴下し、最後に、傾斜面と連続した収納体の背面にある排水口より排水される。したがって、収納している固形石けんが水によって溶解することを防止することができる。
【００１２】
また、排水溝の側壁部の頂面側のコーナ部を、円弧状をなすように形成したり、石けん台の挿脱口側に位置する前面部に形成された傾斜ガイド部に排水溝の端部と連続した円弧状の凹部が形成するようにして、出し入れされる固形石けんが削れることを防止することができる。
【００１３】
収納体の底面に支持凸部を形成し、記収納体の上面に、重ねて置かれる石けん箱の底面に形成された支持凸部が嵌合する嵌合部を形成することで、石けん箱を安定した姿勢で積み上げることができる。
【図面の簡単な説明】
【００１４】
【図１】本発明が適用された石けん箱が積み上げられた状態を示す斜視図である。
【図２】本発明が適用された石けん箱の斜視図である。
【図３】本発明が適用された石けん箱の正面図である。
【図４】本発明が適用された石けん箱の背面図である。
【図５】（Ａ）は本発明が適用された石けん箱の断面図であり、（Ｂ）は、石けん台の支持部近傍の拡大断面図である。
【図６】本発明が適用された石けん箱に用いる石けん台を示す四面図であり、（Ａ）は平面図、（Ｂ）は正面図、（Ｃ）は背面図、（Ｄ）は側面図である。
【図７】排水溝と側壁部の拡大正面図である。
【図８】本発明が適用された石けん箱に用いる石けん台を示す斜視図である。
【図９】石けん台の載置面と傾斜ガイド部との折曲部の変形例を示す図であり、排水溝の端部の壁面と傾斜ガイド部の面とがなすコーナ部を球面状の凹部で形成した例を示す要部斜視図である。
【図１０】排水溝の端部の壁面と傾斜ガイド部の面とがなすコーナ部を外方に膨出する曲面で形成した例を示す図であり、（Ａ）は要部斜視図、（Ｂ）は断面図である。
【考案を実施するための形態】
【００１５】
以下、本考案が適用された石けん箱について図面を参照して説明する。
【００１６】
図１及び図２に示すように、本発明が適用された石けん箱１０は、全体が直方体状に形成され、重ねて置くことができるようになっている。すなわち、一の石けん箱１０ａは、略矩形に形成され、上面が略平坦に形成されているので、その上に、同じ石けん箱１０ｂを重ねて置くことができる。このように、本発明が適用された石けん箱１０は、上面及び底面を平坦に形成することで、高さ方向に積み上げることができ、一の石けん箱１０に一の固形石けん１を収納するようにし、洗面台や浴室等において、複数の固形石けん１を整理して収納することができる。
【００１７】
図２−図５に示すように、本発明が適用された個々の石けん箱１０は、全体が直方体状にモールド成形された収納体１１を有する。この収納体１１は、上面１１ａと底面１１ｂが略平坦に形成され、高さ方向に安定して積み上げることが出来るようにしている。なお、詳細は後述するが、石けん箱１０を積み上げる際に、互いの石けん箱の位置合わせをして、更に、容易にずれないようにするため、下側の収納体１１の上面に形成された支持凸部又は凹状の嵌合部と上側の収納体１１の底面に形成された凹状の嵌合部又は支持凸部とを嵌合させるようにしてもよい。
【００１８】
収納体１１には、前面１１ｃに、固形石けん１の出し入れをする略矩形の挿脱口１２が形成され、更に、この挿脱口１２に連続して固形石けん１を収納する空間を構成する収納部１３が内部に形成されている。この収納部１３は、上面が天井部１３ａによって閉塞されており、内部に、シャワー等からの水しぶきが入らないようにしている。また、収納体１１の前面１１ｃは、略全体を挿脱口１２としながらも上側と下側に壁部１４ａ，１４ｂが形成されている。上側の壁部１４ａは、収納体１１の強度補強をしながら上からの水しぶきが挿脱口１２より収納部１３内の固形石けん１に当たりにくくし、また、下側の壁部１４ｂも、収納体１１の強度補強をしながら床等ではねた水しぶきが挿脱口１２より収納部１３内に入りにくくしている。なお、この収納体１１は、例えば幅が１００ｍｍ程度、高さが１０５ｍｍ程度、奥行きが１０１ｍｍ程度の大きさである。
【００１９】
また、収納体１１の左右の側面１１ｅ，１１ｅには、挿脱口１２に連続した拡張凹部１５，１５が形成されている。拡張凹部１５，１５は、挿脱口１２の開口を大きくし、利用者が固形石けん１の出し入れを行い易くしている。具体的に、収納体１１の側面に形成される拡張凹部１５，１５は、収納体１１の前面１１ｃ側から背面１１ｄ側に窪むように形成され、挿脱口１２を拡大するようにしている。この石けん箱１０は、通常洗面台や浴室の床に置かれることが多く、利用者は、上側から固形石けん１を取る作業を行う。このため、拡張凹部１５，１５の背面１１ｄ側の最深部は、使い勝手を考慮して、収納体１１の高さ方向中央よりやや下側に位置するようにし、上側の開口領域が大きくなるようにしている。
【００２０】
また、収納体１１の背面１１ｄには、図４、図５（Ａ）及び（Ｂ）に示すように、底面１１ｂに沿うようにして、略矩形の排水口１６が形成されている。排水口１６は、背面１１ｄのほぼ幅方向全体に亘って形成されている。収納体１１の底面１１ｂは、底板の厚みを、前面側から背面側に向かって漸次薄くなるようにし、内面に、前面側から背面側に下る傾斜面１７を形成している。この傾斜面１７は、排水路となり、排水口１６につながる。すなわち、収納体１１の底面１１ｂに滴下した水は、この傾斜面１７に沿って背面１１ｄ側に流れ、排水口１６より外部に排水されることになる。なお、この排水口１６は、収納体１１の背面１１ｄの幅方向略全域ではなく一部に設けるようにしてもよい。また、排水口１６の形状も、小さな孔を底面１１ｂに沿うように複数並べて形成するようにしてもよいし、また、メッシュ状のものであってもよい。
【００２１】
収納体１１内には、図５（Ａ）及び（Ｂ）に示すように、前面１１ｃと背面１１ｄの裏側であって、底面１１ｂの近傍に、支持部１８ａ、１８ｂが形成されている。支持部１８ａ，１８ｂは、内側に突出して形成され、平坦な支持面１９，１９が形成されている。平坦な支持面１９，１９は、同じ高さに形成されており、収納する固形石けん１が載置される石けん台２１が支持される。なお、前面１１ｃ側の支持部１８ａが形成される位置は、底面１１ｂよりやや上で挿脱口１２の下側の壁部１４ｂの裏側で、外部から目立ちにくい位置に形成されている。また、背面１１ｄ側の支持部１８ｂは、排水口１６の直上に形成されている。なお、前面側の支持部１８ａを背面側の支持部１８ｂより高くして、石けん台２１に載置された固形石けん１が挿脱口１２より落下しにくくしてもよい。
【００２２】
なお、収納体１１の各コーナ部は、図２に示すように、円弧状をなすように形成するようにしてもよい。具体的に、上面１１ａと前面１１ｅや側面１１ｅや背面１１ｄとがなすコーナ部及び／又は底面１１ｂと前面１１ｅや側面１１ｅや背面１１ｄとがなすコーナ部を円弧状をなすように形成する。これにより、収納体１１の手触りをよくすることができる。
【００２３】
収納体１１内において、石けん台２１は、図６−図８に示すように、収納体１１の底面１１ｂと離間するように支持部１８ａ，１８ｂに支持される。この石けん台２１は、モールド成形によって全体が略矩形板状に形成されている。この石けん台２１は、収納体１１内に配設されたとき、固形石けん１を出し入れする方向（図６（Ａ）中矢印Ａ方向）に、複数の排水溝２２が形成されている。そして、固形石けん１を出し入れする方向の複数の排水溝２２は、これと直交する方向に並んで、互いに平行に形成されている。排水溝２２を構成する側壁部２３は、図６（Ｃ）及び（Ｄ）に示すように、その頂面２３ａが同じ高さとなるように形成され、また、略平坦に形成されることで、安定して固形石けん１を載置できるようになっている。すなわち、石けん台２１には、互いに平行で同じ高さの側壁部２３の頂面２３ａで構成された載置面２１ａが構成されている。また、各側壁部２３の頂面２３ａ側の固形石けん１を出し入れする方向のコーナ部２３ｂは、図７に示すように、円弧状をなすように形成され、載置される固形石けん１が削れないようにしている。一方、排水溝２２の底面２２ａは、図６（Ｄ）に示すように、傾斜面となっている。具体的にここでは、排水溝２２は、溝の中程が最も浅く、両端部に向かうに連れて漸次深くなるように形成されている。すなわち、排水溝２２の底面２２ａは、長さ方向の中程が最も高く、両端部が最も低くなるように形成されている。また、排水溝２２の両端部は、開口端となっており、底面２２ａに沿って流れた水が両端部より収納体１１の底面１１ｂの排水路となる傾斜面１７に滴下するようになっている。
【００２４】
なお、排水溝２２の底面２２ａは、何れか一方の端部を最も浅くし他方の端部を最も深くした一方向の傾斜面で構成するようにしてもよい。また、排水溝２２は、底面２２ａに一又は複数の貫通孔を形成し、端部に至る途中でも収納体１１の底面の傾斜面１７に滴下するようにしてもよい。また、排水溝２２の底面２２ａは、メッシュ状であってもよい。
【００２５】
また、石けん台２１は、収納体１１の前面側に位置する端部に、収納体１１の挿脱口１２と石けん台２１の載置面２１ａとの間を繋ぐ傾斜ガイド部２４が形成されている。上述した排水溝２２の側壁部２３の頂面２３ａで構成される固形石けん１の載置面２１ａは、収納体１１の支持部１８ａ，１８ｂに配設されたとき、収納体１１の挿脱口１２の下端部よりやや低く位置する。傾斜ガイド部２４は、図５（Ａ）に示すように、収納体１１の支持部１８ａ，１８ｂに配設されたとき、上端部２４ａが挿脱口１２の下端部１２ａと略同じ位置又はやや高い位置となり、挿脱口１２の下端部１２ａと略連続する。また、傾斜ガイド部２４の下端部２４ｂは、側壁部２３の頂面２３ａと連続するように形成されている。すなわち、石けん台２１の載置面２１ａは、収納体１１の挿脱口１２の下端部１２ａより低く位置し、挿脱口１２より挿入される固形石けん１は、傾斜ガイド部２４を滑り落ちるようにして載置面２１ａに載置されることになる。なお、挿脱口１２の下端部１２ａと近接する上端部２４ａのコーナ部を、円弧状をなすように形成するようにしてもよい。これにより、下端部１２ａと上端部２４ａとの間に間隙が形成されていても、固形石けん１の出し入れをする際に、固形石けん１が上端部２４ａで削れることを防止することができる。なお、下端部１２ａも出し入れする固形石けん１が削れることを防止するため、円弧状に形成してもよい。
【００２６】
載置面２１ａと傾斜ガイド部２４との折曲部において、各排水溝２２の端部は、傾斜ガイド部２４側に円弧状に窪んだ凹部２５が厚さ方向に形成されている。円弧状の凹部２５は、例えば載置面２１ａにある固形石けん１を取り出すとき、固形石けん１を削れにくくする。なお、固形石けん１を削れにくくするには、その他に、図９に示すように、排水溝２２の端部の壁面と傾斜ガイド部２４の面とがなすコーナ部を球面状の凹部に形成してもよい。また、図１０に示すように、外方に膨出する曲面で形成するようにしてもよい。
【００２７】
傾斜ガイド部２４の裏面は、石けん台２１を支持する収納体１１の挿脱口１２の下側の支持部１８ａと係合する係合部となる係合凹部２６ａが形成されている。この係合凹部２６ａは、Ｌ字状に形成され、これと対応するようにＬ字状に形成された支持部１８ａと係合する。一方、石けん台２１の背面側においても、側壁部２３の背面側端部に、収納体１１の背面側の支持部１８ｂと係合する係合部となる係合凹部２６ｂが形成されている。この係合凹部２６ｂも、側壁部２３のコーナ部をＬ字状に切り欠くようにして形成され、これと対応するようにＬ字状に形成された支持部１８ｂと係合する。石けん台２１は、支持部１８ａ，１８ｂに取り付けられたとき、石けん箱１０の設置面と略平行となる。なお、石けん台２１の収納体１１の支持部１８ａ，１８ｂと係合する係合部は、凹状に切り欠かれていなくてもよい。
【００２８】
石けん台２１と収納体１１内の支持部１８ａ，１８ｂに支持される部分の大きさの関係は、石けん台２１が収納部２１内に、ぴったり嵌り合う大きさとすることによって、挿脱口１２の下端部１２ａと傾斜ガイド部２４の上端部２４ａとの間等に間隙が形成されないようにして、固形石けん１の出し入れを円滑に行うことができる。また、石けん台２１が収納部２１内に配設された際に、がたつきを有する程度の大きさ、すなわちやや小さく形成した場合には、石けん台２１の出し入れを容易にすることができる。
【００２９】
以上のような石けん箱１０は、石けん台２１が挿脱口１２より収納体１１の内部に挿入され、係合凹部２６ａ，２６ｂに、収納体１１の支持部１８ａ，１８ｂが係合されることによって、収納体１１の内部に、がたつくことなく確実に取り付けられる。なお、石けん台２１は、挿脱口１２より収納体１１の内部から取り出し、洗浄することもできる。石けん箱１０は、石けん台２１が収納体１１に取り付けられた状態において、挿脱口１２を介して、石けん台２１の載置面２１ａに固形石けん１が置かれ、また、載置面２１ａに置かれた固形石けん１が取り出される。この際、挿脱口１２が拡張凹部１５，１５によって大きく開口されているので、利用者は、上方から手で容易に固形石けん１を収納体１１内の載置面２１ａに固形石けん１を置くことができ、また、載置面２１ａの固形石けん１を取り出すことができる。載置面２１ａは、略平坦に形成されるので、固形石けん１を安定した姿勢で収納部１３内に収納することができる。
【００３０】
この石けん箱１０では、上面が閉塞され天井部１３ａとなっているので、直接的に、シャワーの水等が当たり固形石けん１が溶解してしまうことを防止することができる。また、挿脱口１２の上下に壁部１４ａ，１４ｂが形成されているので、一層、水しぶき等が収納されている固形石けん１に当たることを防止することができる。また、収納している固形石けん１を載置している石けん台２１は、排水溝２２を構成する側壁部２３の頂面２３ａ側のコーナ部２３ｂが円弧状に形成されており、また、載置面２１ａと傾斜ガイド部２４との折曲部において、各排水溝２２の端部に円弧状に窪んだ凹部２５が形成されているので、固形石けん１の出し入れの際に固形石けん１が削れてしまうことを防止することができる。そして、収納体１１内に進入した水滴や固形石けん１に付着した水滴や固形石けん１が溶解して生成された石けん水等は、先ず、石けん台２１の排水溝２２に滴下し、次いで、排水溝２２から収納体１１の底面の排水路となる傾斜面１７に滴下し、最後に、傾斜面１７と連続した収納体１１の背面にある排水口１６より排水されることになる。
【００３１】
ところで、以上のような石けん箱１０は、全体が略矩形に形成され、上面及び底面が平坦に形成されており、従って、図１に示すように、積み上げることができる。したがって、固形石けん１の種類毎に石けん箱１０を使用し、異なる固形石けん１が収納された石けん箱１０を積み上げていくことで、洗面台や浴室等において、省スペースで、複数の固形石けんを整理して収納することができる。
【００３２】
収納体１１の底面１１ｂには、図２−図５に示すように、各コーナ部近傍に、支持凸部２７，２７，２７，２７が形成されており、各支持凸部２７，２７，２７，２７の先端面には、ゴム板等の滑り止め部材２９が接着剤、両面接着テープ等によって貼着されている。一方、収納体１１の上面には、支持凸部２７，２７，２７，２７と対応する位置に、支持凸部２７，２７，２７，２７が嵌合される嵌合部２８，２８，２８，２８が形成されている。各嵌合部２８，２８，２８，２８は、有底の凹部又は貫通孔で形成されている。下側に位置する石けん箱１０ａの上面に形成された嵌合部２８，２８，２８，２８に上側に位置する石けん箱１０ｂの底面に形成された支持凸部２７，２７，２７，２７が嵌合されたときには、石けん箱１０ａ，１０ｂ同士の位置ずれを防止することができ、また、固形石けん１の出し入れの際に加わる力によって、石けん箱１０ａ，１０ｂの相対的な位置がずれ、また、上側の石けん箱１０ｂが崩れ落ちることを防止することができる。
【００３３】
なお、下側の石けん箱１０ａの上面と上側の石けん箱１０ｂの底面との間は、支持凸部２７，２７，２７，２７と嵌合部２８，２８，２８，２８とが嵌合した状態において、密着していてもよいし、間に間隙を有するようにしてもよい。密着させた場合には、下側の石けん箱１０ａの上面と上側の石けん箱１０ｂの底面との間に、水が浸入することを防止することができ、また、間隙を設けた場合には、浸入した水が貯まることを防止することができる。密着させる場合は、嵌合部２８，２８，２８，２８を、支持凸部２７，２７，２７，２７と略同じ大きさの貫通孔としたり、支持凸部２７，２７，２７，２７の高さと同じ又は深い有底の凹部とすればよい。間隙を設ける場合には、嵌合部２８，２８，２８，２８を、支持凸部２７，２７，２７，２７の高さより浅くすればよい。
【００３４】
また、支持凸部２７は、同じ高さのものを少なくとも３カ所設けることで、設置面と平行に安定して置くことができる。したがって、支持凸部２７は、同じ高さのものを５つ以上設けてもよい。また、支持凸部２７は、前面側に２つ設けるだけでもよい。この場合、石けん箱１０は、全体として、前面の挿脱口１２がやや上側を向くようになり、固形石けん１の出し入れの作業を行い易くなる。また、収納体１１の底面の傾斜面１７の勾配や石けん台２１の排水溝２２の底面２２ａの勾配が急となり排水口１６より一層排水し易くなる。
【００３５】
更に、石けん箱１０を積み上げる数は、図１のように、２つに限定されるものではなく、３つ以上であってもよい。また、石けん箱１０において、支持凸部２７は、収納体１１の上面１１ａに形成し、嵌合部２８を収納体１１の底面１１ｂに形成するようにしてもよい。
【符号の説明】
【００３６】
１  固形石けん、１０  石けん箱、１１  収納体、１１ａ  上面、１１ｂ  底面、１１ｂ  前面、１１ｃ  前面、１１ｄ  背面、１１ｅ  側面、１２  挿脱口、１２ａ  下端部、１３  収納部、１３ａ  天井部、１４ａ，１４ｂ  壁部、１５  拡張凹部、１６  排水口、１７  傾斜面、１８ａ，１８ｂ  支持部、１９  支持面、２１  石けん台、２１ａ  載置面、２２  排水溝、２２ａ  底面、２３  側壁部、２３ａ  頂面、２３ｂ  コーナ部、２４  傾斜ガイド部、２４ａ  上端部、２４ｂ  下端部、２５  凹部、２６ａ，２６ｂ  係合凹部、２７  支持凸部、２８  嵌合部、２９  滑り止め部材
【図１】
0003173127.tif 000003
【図２】
0003173127.tif 000004
【図３】
0003173127.tif 000005
【図４】
0003173127.tif 000006
【図５】
0003173127.tif 000007
【図６】
0003173127.tif 000008
【図７】
0003173127.tif 000009
【図８】
0003173127.tif 000010
【図９】
0003173127.tif 000011
【図１０】
0003173127.tif 000012